(57)【要約】      （修正有）【課題】単一の光源を用いて透過型及び反射型の両方の走査を行うデュアルモード走査装置を提供する。【解決手段】デュアルモード走査装置は、透過性及び反射性の両方の対象物を走査することができる。反射型又は透過型走査モードのいずれかを実行するとき、不透明な対象物又は光透過性の対象物を走査台に載置する。キャリッジモジュールは、走査台の下方に配置され、光を発するためのアクティブ光源を内部に有している。反射型走査モードにおいては、アクティブ光源によって発された光が不透明対象物で反射されてキャリッジモジュールに入射する。一方、走査台の上方には導光部材が配置されており、アクティブ光源によって発された光を光透過性対象物に導く。透過型走査モードにおいて、光は該対象物を透過し、キャリッジモジュールに入射する。【選択図】図２
2005065228.tif 000002
【特許請求の範囲】
【請求項１】
透過性及び反射性の両方の対象物を走査することが可能なデュアルモード走査装置であって、
走査対象物を載置するための走査台と、
前記走査台の下方に配置され、光を発するためのアクティブ光源を有し、反射型走査モードにおいて当該光が前記対象物により反射されてキャリッジモジュール自身に入射するように作用するキャリッジモジュールと、
前記アクティブ光源によって発された光を前記対象物に導くために前記走査台の上方に配置され、透過型走査モードにおいて当該光が前記対象物を透過して前記キャリッジモジュールに入射するように作用する導光部材と、
を備えたことを特徴とするデュアルモード走査装置。  
【請求項２】
前記アクティブ光源は直線形状のランプ又はＵ字形のランプであることを特徴とする請求項１に記載のデュアルモード走査装置。
【請求項３】
前記透過型走査モードにおいては、前記対象物は前記走査台の所定領域に載置されることを特徴とする請求項１に記載のデュアルモード走査装置。
【請求項４】
前記キャリッジモジュールは、前記透過型走査モードにおいて前記アクティブ光源の光が前記対象物に直接に当たるのを防ぐために前記所定領域に対応する前記アクティブ光源の一部分を覆う遮光体をさらに備えたことを特徴とする請求項３に記載のデュアルモード走査装置。
【請求項５】
前記対象物は、前記走査台の前記所定領域に対して着脱可能なホルダを用いて、配置されることを特徴とする請求項３に記載のデュアルモード走査装置。
【請求項６】
前記アクティブ光源は複数の部分照明ユニットを備え、該部分照明ユニットの少なくとも一つは前記所定領域に対応して配置されており、前記透過型走査モードにおいてはオフにされ、前記アクティブ光源の光が前記対象物に直接に当たるのを防ぐことを特徴とする請求項３に記載のデュアルモード走査装置。
【請求項７】
前記複数の照明装置は直線形状の光源又はＵ字形の光源として配置されていることを特徴とする請求項６に記載のデュアルモード走査装置。
【請求項８】
前記導光部材は、
前記アクティブ光源によって発された光を特定の方向に反射するための少なくとも一つの反射要素と、
前記反射要素に対して前記特定の方向に配置され、前記透過型走査モードにおいて、前記アクティブ光源によって発されて前記反射要素によって反射された光を受け、当該光を分散させて前記対象物を透過するようにする導光板とを備えたことを特徴とする請求項１に記載のデュアルモード走査装置。
【請求項９】
透過性及び反射性の両方の対象物を走査することが可能なデュアルモード走査装置であって、
走査対象物を載置するための走査台と、
前記走査台の下方に配置され、光を発するためのアクティブ光源を有し、反射型走査モードにおいて当該光が前記対象物により反射されてキャリッジモジュール自身に入射するように作用するキャリッジモジュールと、
前記アクティブ光源によって発された光を前記対象物に導くために前記走査台の上方に配置され、透過型走査モードにおいて当該光が前記対象物を透過して前記キャリッジモジュールに入射するように作用する導光部材とを備え、
前記アクティブ光源は、前記導光部材の光入射口の下方に配置された第１の部分と、前記対象物の下方に配置された第２の部分とを含み、前記透過型走査モードにおいては、実質的に前記アクティブ光源の前記第１の部分から発された光のみが前記走査台を透過することを特徴とするデュアルモード走査装置。
【請求項１０】
透過性及び反射性の両方の対象物を走査することが可能なデュアルモード走査装置であって、
走査対象物を載置するための走査台と、
前記走査台の下方に配置され、光を発するためのアクティブ光源を有し、反射型走査モードにおいて当該光が前記対象物により反射されてキャリッジモジュール自身に入射するように作用するキャリッジモジュールと、
前記アクティブ光源によって発された光を受けて特定の方向に反射するための反射要素と、
透過型走査モードにおいて、前記アクティブ光源によって発されて前記反射要素によって反射された光を受け、当該光が前記対象物を透過して前記キャリッジモジュールに入射するように当該光を分散させるために、前記反射要素に対して前記特定の方向に配置された導光要素とを備え、
前記アクティブ光源は少なくとも３つの照明ユニットを含み、該３つの照明ユニットのうち、中央のユニットは、前記透過型走査モードにおいてはオフにされ、前記アクティブ光源の光が前記対象物に直接に当たるのを防ぐことを特徴とするデュアルモード走査装置。
【発明の詳細な説明】
【技術分野】
【０００１】
本発明は走査装置に関するものであり、特に、単一の側に設けられた光源を用いて透過型及び反射型の走査動作を行う走査装置に関する。
【背景技術】
【０００２】
スキャナは、画像情報をデジタル形式に処理するために広く利用されている。一般的にスキャナは２つの主要なタイプ、透明及び不透明な対象物をそれぞれ走査するための透過型スキャナ及び反射型スキャナ、に分類される。不透明な対象物とは、例えば、紙や写真等であり、透明な対象物とは、一般的には、スライドやフィルム等である。透明及び不透明な対象物の両方を走査できるようにするため、透過型走査／反射型走査を選択できるデュアルモードスキャナが開発された。図１を参照すると、従来のデュアルモードスキャナが概略的に示されている。このスキャナが反射モードで作動するとき、キャリッジモジュール１１と同じ側、すなわち、スキャナの下部ハウジング１０１に配置されたランプ１２によって発された光が不透明な走査対象物１４の表面に投射される。不透明な対象物１４から反射された光は、キャリッジモジュール１１に送られ、処理される。画像情報を示す反射された光信号は、キャリッジモジュール１１内の光電変換装置（図示せず）によって電気信号に変換され、その後、該電気信号はさらにデジタル処理される。スキャナが透過モードで作動するときは、キャリッジモジュール１１と反対の側、すなわち、スキャナの上部ハウジングつまりカバー１０２に配置されたランプ１３によって光が放射される。光は、透明な走査対象物１５を透過し、キャリッジモジュール１１に送られ、電気信号に変換される。その後、電気信号はコンピュータ等の処理装置（図示せず）に出力され、デジタル処理される。
【０００３】
上記説明から分かるように、走査台１６の両側に２つのランプ１２及び１３を配置する必要がある。不透明対象物１４を走査中の場合、反射ランプ１２のみがオン状態となる。ランプ１２から発された光は不透明対象物１４の表面に投射され、不透明対象物１４からキャリッジモジュール１１に反射され、電気信号に変換される。一方、透明な対象物１５が走査される場合、ランプ１３のみがオン状態となる。ランプ１３から発された光は透明対象物１５を通過し、キャリッジモジュール１１は当該光を受けて電気信号に変換する。
【発明の開示】
【発明が解決しようとする課題】
【０００４】
上述したデュアルモードスキャナにおいては、２つの個別ランプを設ける必要があるため、コストが高くなる上にサイズが大きくなるという問題がある。
【０００５】
本発明は、走査装置のコストを削減するとともにサイズを小さくするため、単一の光源を用いて透過型及び反射型の両方の走査を行うデュアルモード走査装置を提供する。
【０００６】
また、本発明は、複数のセグメントランプを単一の光源として用い、透過型又は反射型のいずれの走査を行うかによって、各セグメントランプを選択的にオン状態にするデュアルモード走査装置を提供する。
【課題を解決するための手段】
【０００７】
本発明の第１の側面によると、透過性及び反射性の両方の対象物を走査することが可能なデュアルモード走査装置が提供される。デュアルモード走査装置は、走査台と、キャリッジモジュールと、導光部材とを備えている。走査台は、走査対象物を載置するために用いられる。キャリッジモジュールは、走査台の下方に配置され、光を発するためのアクティブ光源を有している。反射型走査モードにおいては、光は対象物で反射されてキャリッジモジュールに入射する。導光部材は、走査台の上方に配置され、アクティブ光源によって発された光を対象物へと導く。透過型走査モードにおいて、光は、対象物を透過してキャリッジモジュールに入射する。
【０００８】
一実施形態においては、走査台は透明である。
【０００９】
一実施形態においては、アクティブ光源は直線形状のランプである。
【００１０】
一実施形態においては、アクティブ光源はＵ字形のランプである。
【００１１】
一実施形態においては、透過型走査モードにおいて、対象物は走査台の所定領域に載置される。
【００１２】
一実施形態においては、キャリッジモジュールは、透過型走査モードにおいてアクティブ光源の光が対象物に直接に当たるのを防ぐために所定領域に対応するアクティブ光源の一部分を覆う遮光体をさらに備えている。
【００１３】
一実施形態においては、対象物は、走査台の所定領域に対して着脱可能なホルダを用いて、配置される。
【００１４】
一実施形態においては、アクティブ光源は複数の部分照明ユニットを備え、部分照明ユニットの少なくとも一つは所定領域に対応して配置されており、透過型走査モードにおいてはオフにされ、アクティブ光源の光が対象物に直接に当たるのを防ぐ。
【００１５】
一実施形態においては、複数の照明ユニットは直線形状の光源として配置されている。
【００１６】
別の実施形態においては、複数の照明ユニットはＵ字形の光源として配置されている。
【００１７】
一実施形態においては、導光部材は、少なくとも一つの反射要素と、導光板とを備えている。少なくとも一つの反射要素は、アクティブ光源によって発された光を特定の方向に反射するために用いられる。導光板は、反射要素に対して該特定の方向に配置されており、透過型走査モードにおいて、アクティブ光源によって発されて反射要素によって反射された光を受け、当該光を分散させて対象物を透過するようにする。
【００１８】
デュアルモード走査装置はスキャナであることが好ましい。
【００１９】
デュアルモード走査装置は多機能周辺機器であることが好ましい。
【００２０】
本発明の第２の側面によると、透過性及び反射性の両方の対象物を走査することが可能なデュアルモード走査装置が提供される。デュアルモード走査装置は、走査台と、キャリッジモジュールと、導光部材とを備えている。走査台は、走査対象物を載置するために用いられる。キャリッジモジュールは、走査台の下方に配置され、光を発するためのアクティブ光源を有している。反射型走査モードにおいては、光は対象物で反射されてキャリッジモジュールに入射する。導光部材は、走査台の上方に配置され、アクティブ光源によって発された光を対象物に導く。透過型走査モードにおいて、光は対象物を透過してキャリッジモジュールに入射する。アクティブ光源は、導光部材の光入射口の下方に配置された第１の部分と、対象物の下方に配置された第２の部分とを含んでいる。透過型走査モードにおいては、実質的に、アクティブ光源の第１の部分から発された光のみが走査台を透過する。
【００２１】
一実施形態においては、キャリッジモジュールは、透過型走査モードにおいてはアクティブ光源の第２の部分を覆うために移動し、反射型走査モードにおいてはアクティブ光源の第２の部分を露出させるために移動する遮光体をさらに備えている。
【００２２】
一実施形態においては、アクティブ光源の第２の部分は、透過型走査モードにおいてはオフ状態になり、反射型走査モードにおいてはオン状態になる。
【００２３】
一実施形態においては、アクティブ光源の第１の部分は少なくとも一つの照明ユニットを含み、アクティブ光源の第２の部分は第１の部分の両側に配置された少なくとも２つの照明ユニットを含む。
【００２４】
一実施形態においては、導光部材は、少なくとも一つの反射要素と、導光板とを備えている。少なくとも一つの反射要素は、光入射口として機能し、アクティブ光源によって発された光を受けて特定の方向に反射する。導光板は、反射要素に対して該特定の方向に配置されており、アクティブ光源によって発されて反射要素によって反射された光を受け、対象物を透過するように光を分散させる。
【００２５】
本発明の第３の側面によると、透過性及び反射性の両方の対象物を走査することが可能なデュアルモード走査装置が提供される。デュアルモード走査装置は、走査台と、キャリッジモジュールと、光入射口と、導光部材とを備えている。走査台は走査対象物を載置するために用いられる。キャリッジモジュールは、走査台の下方に配置され、光を発するためのアクティブ光源を有している。反射型走査モードにおいては、光は対象物で反射されてキャリッジモジュールに入射する。光入射口は、アクティブ光源によって発された光を受け、特定の方向に反射する。導光要素は、反射要素に対して該特定の方向に配置されており、透過型走査モードにおいて、アクティブ光源によって発されて反射要素によって反射された光を受け、対象物を透過してキャリッジモジュールに入射するように光を分散させる。アクティブ光源は、少なくとも３つの照明ユニットを含んでおり、３つの照明ユニットの中の中央のユニットは、透過型走査モードにおいてはオフにされ、アクティブ光源の光が対象物に直接に当たるのを防ぐ。
【００２６】
一実施形態においては、光入射口は反射鏡であり、導光要素は光拡散板である。
【発明を実施するための最良の形態】
【００２７】
図２を参照すると、本発明の一実施形態によるデュアルモードイメージスキャナの概略図が示されている。このデュアルモードスキャナは下部ハウジング２０１内にキャリッジモジュール２２を備えており、該モジュールは、アクティブ光源２２１と、反射鏡セット２２２と、レンズセット２２３と、電荷結合素子（ＣＣＤ）等の光電変換装置２２４とを含む複数の光学要素を内部に有している。デュアルモードスキャナが反射モードで作動するときは、キャリッジモジュール２２内に配置されたアクティブ光源２２１によって発された光が、走査台２０上に載置された不透明な対象物２４に投射される。不透明対象物２４から反射された光は、キャリッジモジュール２２に送られ、処理される。デュアルモードイメージスキャナはさらに、上部ハウジング２０２内に導光部材２３を備えている。スキャナが透過モードで作動するときは、アクティブ光源２２１から発された光が走査台２０を通り抜け、導光部材２３によって、走査台２０に載置された光透過性つまり透明対象物２５へと導かれる。その後、光は、走査対象物２５を透過してキャリッジモジュール２２に入射し、処理される。
【００２８】
図３（ａ）及び図３（ｂ）に示されるように、導光部材２３は、２つの反射鏡２３１と、該２つの反射鏡２３１の間に配置された導光板２３２とを備えている。反射鏡２３１は、アクティブ光源２２１から発された光の入射口として機能し、その位置及び向きは、破線矢印Ｄで示されるように、光を導光板２３２の方に反射するように特別に設計されている。導光板２３２は、アクティブ光源から発されて反射鏡２３１によって反射された光を受けると、実線矢印Ｓで示すように光を下方に散乱させ、光が走査対象物２５を透過するように作用する。その後、走査対象物２５を透過した光をキャリッジモジュールが受け、透過型走査が行われる。
【００２９】
透過モードにおいては、走査対象物に投射される光は、アクティブ光源ではなく導光部材からのみ来るようにしなければならない。従って、光透過性対象物を載置するための走査台の特定領域の真下にはアクティブ光源の照明がないようにすることが好ましい。この目的を達成するため、本発明によると、走査台の特定領域に対応するアクティブ光源の一部分を例えば遮蔽又はオフ状態にする。図４（ａ），（ｂ）、及び図５（ａ），（ｂ）は、アクティブ光源の上記部分を遮蔽する又はオフ状態にするための４つの構成例を概略的に示している。図４（ａ）においては、キャリッジモジュールは、走査ウィンドウ３０と、該走査ウィンドウ３０と同様の形状を有し、アクティブ光源として機能する直線形状の陰極線管ランプ３１とを有している。キャリッジモジュールはさらに、反射型走査モード時には位置３２１にあり、透過型走査モード時には所定領域の下のランプ３１の一部分を覆う位置３２２に移動してアクティブ光源の光が走査対象物に直接に当たるのを防ぐことができる遮光体３２を備えている。図４（ｂ）のキャリッジモジュールは、図４（ａ）に示されたものに類似しているが、Ｕ字形のランプ３１がアクティブ光源として用いられている点が異なる。図５（ａ）においては、キャリッジモジュールは、走査ウィンドウ５０を有し、中央部及び両側部の照明ユニット５１及び５２がアクティブ光源として配置されている。透過型走査モードにおいては、中央部の照明ユニット５１がオフ状態、両側部の照明ユニット５２がオン状態となり、アクティブ光源の光が走査対象物に直接に当たるのを防止する。図５（ｂ）のキャリッジモジュールは、図５（ａ）に示されたものに類似しているが、中央部及び両側部の照明ユニット５３及び５４が配置されたＵ字形のランプがアクティブ光源として用いられている点が異なる。透過型走査モード時には、同様に、中央部の照明ユニット５３がオフ状態になり、両側部の照明ユニット５４がオン状態になる。
【００３０】
スライドやフィルム等、走査対象物の寸法が小さい場合、図６に示されるように、複数の対象物２１を同時に所定位置に支持することが可能なホルダ４０を随意に走査台２０に取り付け、走査効率を高めることができる。ホルダ４０は、寸法の大きい対象物を走査するときは、走査台２０から取り外される。
【００３１】
上述のように、本発明のデュアルモードスキャナは、単一の光源を用いて透過性及び反射性の両方の対象物を走査することができる。これにより、効果的にスキャナのコストを下げるとともに寸法を小さくすることができる。
【００３２】
本発明は、反射型及び透過型の両方の走査を行ういかなる走査装置にも適用することができる。例えば、イメージスキャナ、多機能周辺機器等の走査装置に適用される。
【００３３】
以上、現在において最も実用的で好ましいと考えられる実施形態について本発明を説明してきたが、本発明は、開示された実施形態に限定されるものではなく、付記される請求項の最広義な解釈による趣旨及び範囲内における種々の変更及び同様の配置をも含むものであり、そのような変更及び同様の構造全てを包含する。
【図面の簡単な説明】
【００３４】
【図１】従来のデュアルモードスキャナの光学系を示す概略図。
【図２】本発明の一実施形態によるデュアルモードスキャナの光学系を示す概略図。
【図３】（ａ）は導光部材を有するイメージスキャナの概略平面図、（ｂ）は（ａ）に示されるイメージスキャナの導光部材の概略側面図。
【図４】（ａ）及び（ｂ）は、本発明によるデュアルモードスキャナのキャリッジモジュールの概略図であって、透過モードにおいて部分的に遮蔽されるアクティブ光源の２つの構成例を示す図。
【図５】（ａ）及び（ｂ）は、本発明によるデュアルモードスキャナのキャリッジモジュールの概略図であって、透過モードにおいて部分的にオフ状態にされるアクティブ光源の２つの構成例を示す図。
【図６】一又は複数の透明対象物を同時に走査台に位置付けるためのホルダが取り付けられた状態を示す概略平面図。
【符号の説明】
【００３５】
２０    走査台
２１    対象物
２２    キャリッジモジュール
２３    導光部材
２４    不透明対象物
２５    透明対象物
３０    走査ウィンドウ
３１    ランプ
３２    遮光体
４０    ホルダ
５０    走査ウィンドウ
５１    中央部照明ユニット
５２    側部照明ユニット
５３    中央部照明ユニット
５４    側部照明ユニット
２０１  下部ハウジング
２０２  上部ハウジング
２２１  アクティブ光源
２２２  反射鏡セット
２２３  レンズセット
２２４  光電変換装置
２３１  反射鏡
２３２  導光板
【図１】
2005065228.tif 000003
【図２】
2005065228.tif 000004
【図３】
2005065228.tif 000005
【図４】
2005065228.tif 000006
【図５】
2005065228.tif 000007
【図６】
2005065228.tif 000008